(57)【要約】【課題】配置レイアウトの自由度が高い給紙装置を提供する。【解決手段】給紙装置９０は、側板８１と、側板８２と、取付板１０１，１０２，１０３と、ピックアップローラ３１と、セパレートローラ３２と、伝達ギア１２０と、を備える。側板８２は、側板８１と向かい合うように配置される。取付板１０１，１０２，１０３は、側板８１と側板８２との間に配置される。ピックアップローラ３１は、側板８１及び側板８２によって回転可能に支持され、原稿の繰り込みを行う。セパレートローラ３２は、側板８１及び側板８２によって回転可能に支持され、ピックアップローラ３１で繰り込まれた原稿を１枚ずつ分離する。伝達ギア１２０は、取付板１０１，１０２，１０３によって回転可能に支持され、ピックアップローラ３１とセパレートローラ３２との間の動力伝達を行う。【選択図】図４
2011121697.tif 000002
【特許請求の範囲】
【請求項１】
第１支持部と、
前記第１支持部と向かい合うように配置される第２支持部と、
前記第１支持部と前記第２支持部との間に配置される第３支持部と、
前記第１支持部及び前記第２支持部によって回転可能に支持され、原稿の繰り込みを行うピックアップローラと、
前記第１支持部及び前記第２支持部によって回転可能に支持され、前記ピックアップローラで繰り込まれた原稿を１枚ずつ分離するセパレートローラと、
前記第３支持部によって回転可能に支持され、前記ピックアップローラと前記セパレートローラとの間の動力伝達を行う伝達ギアと、
を備えることを特徴とする給紙装置。
【請求項２】
請求項１に記載の給紙装置であって、
前記伝達ギアは、一端が前記第３支持部に支持され、他端が前記第１支持部又は前記第２支持部に支持されることを特徴とする給紙装置。
【請求項３】
請求項２に記載の給紙装置であって、
前記伝達ギアは、
歯が形成される歯部と、
前記歯部と接続され、前記第１支持部又は前記第２支持部に回転可能に支持される第１軸部と、
前記歯部と接続され、前記第３支持部に回転可能に支持される第２軸部と、
を備え、
前記第１軸部の軸方向の長さと、前記第２軸部の軸方向の長さと、が異なることを特徴とする給紙装置。
【請求項４】
請求項３に記載の給紙装置であって、
前記歯部と、前記第１軸部と、前記第２軸部と、は一体的に成形されていることを特徴とする給紙装置。
【請求項５】
請求項１から４までの何れか一項に記載の給紙装置であって、
前記伝達ギアを複数備え、
前記伝達ギアのうち少なくとも１つは、残りの前記伝達ギアに比べて前記第３支持部に支持される高さが異なることを特徴とする給紙装置。
【請求項６】
請求項１から５までの何れか一項に記載の給紙装置を備えることを特徴とする自動原稿搬送装置。
【請求項７】
請求項１から５までの何れか一項に記載の給紙装置を備えることを特徴とする原稿読取装置。
【発明の詳細な説明】
【技術分野】
【０００１】
本発明は、主として、ピックアップローラ及びセパレートローラを備えた給紙装置に関する。
【背景技術】
【０００２】
従来から、重ねてセットされた原稿を１枚ずつ分離して搬送することが可能な給紙装置が知られている。給紙装置は、一般的に、給紙トレイにセットされた原稿を繰り込むピックアップローラと、このピックアップローラによって繰り込まれた原稿を１枚ずつ分離する分離ローラと、を備えている。また、このような給紙装置においては、セパレートローラのローラ軸と、ピックアップローラのローラ軸と、を適宜の伝達機構によって連結し、駆動装置から伝達された動力を、一方のローラ軸からもう一方のローラ軸に伝達する構成が知られている。特許文献１及び特許文献２は、この種の給紙装置を開示する。
【０００３】
特許文献１は、セパレートローラの駆動軸の一端部に配置された第一ギアと、ピックアップローラの回転軸の一端部に配置された第三ギアと、を第二ギアによって連結して動力を伝達する構成を開示する。なお、この第二ギアは、ギアとローラとの間に位置するアームによって支持されている。
【０００４】
特許文献２は、セパレートローラの駆動軸の一端部に配置された駆動ギアと、ピックアップローラの回転軸の一端部に配置された伝達ギアと、をベルトによって連結して動力を伝達する構成を開示する。
【先行技術文献】
【特許文献】
【０００５】
【特許文献１】特開２００１−２３３４７０号公報
【特許文献２】特開２００３−１０４５７４号公報
【発明の概要】
【発明が解決しようとする課題】
【０００６】
しかし、上記特許文献１の構成では、第二ギアをアームの近傍に配置する必要があり、配置レイアウトの自由度の観点から改善の余地が残されていた。また、上記特許文献２の構成では、ベルトを用いることによって給紙装置が高コストになってしまい、この点で改善が求められていた。
【０００７】
本発明は以上の事情に鑑みてされたものであり、その主要な目的は、配置レイアウトの自由度が高い給紙装置を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の給紙装置が提供される。即ち、この給紙装置は、第１支持部と、第２支持部と、第３支持部と、ピックアップローラと、セパレートローラと、伝達ギアと、を備える。前記第２支持部は、前記第１支持部と向かい合うように配置される。前記第３支持部は、前記第１支持部と前記第２支持部との間に配置される。前記ピックアップローラは、前記第１支持部及び前記第２支持部によって回転可能に支持され、原稿の繰り込みを行う。前記セパレートローラは、前記第１支持部及び前記第２支持部によって回転可能に支持され、前記ピックアップローラで繰り込まれた原稿を１枚ずつ分離する。前記伝達ギアは、前記第３支持部によって回転可能に支持され、前記ピックアップローラと前記セパレートローラとの間の動力伝達を行う。
【００１０】
即ち、従来は伝達ギアを第１支持部又は前記第２支持部で支持していたため、伝達ギアを第１支持部又は第２支持部の近傍にしか配置できなかった。この点、上記の構成によれば、第３支持部が配置される場所の近傍に伝達ギアを位置させることができるので、給紙装置の配置レイアウトの自由度を向上させることができる。
【００１１】
前記の給紙装置においては、前記伝達ギアは、一端が前記第３支持部に支持され、他端が前記第１支持部又は前記第２支持部に支持されることが好ましい。
【００１２】
これにより、伝達ギアを両持ち支持することができるので、伝達ギアの安定性を向上させることができる。また、ピックアップローラ及びセパレートローラを支持している支持部で伝達ギアを支持する構成であるため、給紙装置の構成を簡単にすることができる。
【００１３】
前記の給紙装置においては、以下の構成とすることが好ましい。即ち、前記伝達ギアは、歯部と、第１軸部と、第２軸部と、を備える。前記歯部には、歯が形成される。前記第１軸部は、前記歯部と接続され、前記第１支持部又は前記第２支持部に回転可能に支持される。前記第２軸部は、前記歯部と接続され、前記第３支持部に回転可能に支持される。前記第１軸部の軸方向の長さと、前記第２軸部の軸方向の長さと、が異なる。
【００１４】
これにより、例えば第１軸部が取り付けられる支持部（第１支持部又は第２支持部）と、第２軸部が取り付けられる第３支持部と、で剛性が異なる場合は、剛性が高い方の支持部に支持される軸部を短くすることで、伝達ギアの位置精度を安定させることができる。
【００１５】
前記の給紙装置においては、前記歯部と、前記第１軸部と、前記第２軸部と、は一体的に成形されていることが好ましい。
【００１６】
これにより、部品点数を削減できるとともに、伝達ギアを組み立てる手間を省くことができる。従って、給紙装置の製造コストを低減できる。
【００１７】
前記の給紙装置においては、前記伝達ギアを複数備え、前記伝達ギアのうち少なくとも１つは、残りの前記伝達ギアに比べて前記第３支持部に支持される高さが異なることが好ましい。
【００１８】
これにより、給紙装置を組み立てるときに、作業者からみて奥に位置する伝達ギアを先に取り付け、その後に手前側の伝達ギアを取り付けることで、伝達ギアの取付性を向上させることができる。
【００１９】
本発明の第２の観点によれば、前記の給紙装置を備える自動原稿搬送装置が提供される。
【００２０】
これにより、配置レイアウトの自由度が高い給紙部を備える自動原稿搬送装置が実現できる。
【００２１】
本発明の第３の観点によれば、前記の給紙装置を備える原稿読取装置が提供される。
【００２２】
これにより、配置レイアウトの自由度が高い給紙部を備える原稿読取装置が実現できる。
【図面の簡単な説明】
【００２３】
【図１】本発明の一実施形態に係る複合機の外観斜視図。
【図２】カバーが閉じているときの自動原稿搬送装置の正面断面図。
【図３】カバーが開いているときの自動原稿搬送装置の正面断面図。
【図４】給紙装置の構成を示す斜視図。
【図５】伝達ギアの取付方法を説明する分解斜視図。
【発明を実施するための形態】
【００２４】
次に、図面を参照して本発明の実施の形態を説明する。図１は本発明の一実施形態に係る複合機２０の外観斜視図である。
【００２５】
複合機２０は、コピー機能及びファクシミリ機能を備えており、図１に示すように、ブックスキャナ及びオートドキュメントフィードスキャナとして機能するイメージスキャナ装置（原稿読取装置）１０を、当該複合機２０の上部に備えている。また、複合機２０は、コピー部数、ファクシミリ送信先及び原稿読取等を指示するための操作パネル７７を備える。
【００２６】
更に、複合機２０は、記録媒体としての用紙に画像を形成する画像形成部等を内蔵した複合機本体７８と、前記用紙を順次供給する給紙カセット７９と、を備えている。この複合機本体７８は、通信回線を介して画像データを伝送するための図略の送受信部等を備える。
【００２７】
次に、図２及び図３を参照して、複合機２０が備えるイメージスキャナ装置１０について説明する。図２は、カバーが閉じているときの自動原稿搬送装置の正面断面図である。図３は、カバーが開いているときの自動原稿搬送装置の正面断面図である。
【００２８】
図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための本体側スキャナユニット５０及びＡＤＦ側スキャナユニット６０を備えている。
【００２９】
このイメージスキャナ装置１０をオートドキュメントフィードスキャナとして使用する場合は、前記ＡＤＦ２５によって原稿を１枚ずつ搬送する。そして、原稿の表側の面（第１面）の画像は本体側スキャナユニット５０によって読み取られ、裏側の面（第２面）の画像はＡＤＦ側スキャナユニット６０によって読み取られる。
【００３０】
一方、イメージスキャナ装置１０をブックスキャナとして使用する場合は、読み取るべきブック原稿をユーザがプラテンガラス２２上に載置して、その上から原稿台カバー２１によって押圧し、ブック原稿が動かないように固定する。この状態で、本体側スキャナユニット５０によって原稿の画像を読み取ることができるようになっている。
【００３１】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。また、ＡＤＦ２５は、ＡＤＦ本体１６と、その上側を覆うカバー１１とを備えている。このカバー１１は、図３に示すように、カバー回動軸１５を介してＡＤＦ本体１６に回動可能に支持されている。
【００３２】
図２に示すように、前記原稿台カバー２１の内部には、原稿トレイ２３と排出トレイ２４とを繋ぐ湾曲状（正面視で横向きＵ字状）の原稿搬送経路３０が構成されている。この構成で、原稿トレイ２３に重ねてセットされた原稿は、１枚ずつ分離されて前記原稿搬送経路３０に沿って搬送され、排出トレイ２４へ排出される。原稿の読取開始等の指示は、図１に示す操作パネル７７によって行うことができる。
【００３３】
次に、原稿搬送経路３０に沿って、ＡＤＦ２５の各部の構成を詳細に説明する。
【００３４】
図３に示すように、原稿トレイ２３から原稿搬送経路３０に原稿が供給される箇所であって、カバー１１のＡＤＦ本体１６側の面には給紙装置９０が配置されている。この給紙装置９０は、ピックアップローラ３１と、このピックアップローラ３１の下流側に位置するセパレートローラ３２を備えている。
【００３５】
この構成で、ピックアップローラ３１が駆動されることによって、原稿トレイ２３上の最上層の原稿がＡＤＦ２５内に繰り込まれる。原稿はピックアップローラ３１の駆動によってセパレートローラ３２へ送られ、当該セパレートローラ３２と対向する対向ローラ３３との間にニップされる。そして原稿は、原稿搬送方向に回転駆動するセパレートローラ３２と、原稿搬送方向とは逆方向に回転駆動する対向ローラ３３と、によって１枚ずつ分離され、原稿搬送経路３０の下流側へ搬送される。
【００３６】
セパレートローラ３２の下流側には、レジストローラ３９と、このレジストローラ３９と対になるプレスローラ３７と、が配置されている。レジストローラ３９はプレスローラ３７とともに、セパレートローラ３２によって搬送されてくる原稿の先頭側を一時的に止めて弛ませ、所定時間後に弛みを除去しつつ下流側に搬送する。これにより、原稿の斜行が矯正される。
【００３７】
レジストローラ３９の下流側には、複数の搬送ローラ３４，３５が設けられる。また、この搬送ローラ３４，３５のそれぞれに対向するようにローラが配置されている。前記レジストローラ３９の駆動によって下流側へ搬送された原稿は、搬送ローラ３４，３５とそれらに対向するローラとによりニップされて、更に下流側へ搬送される。
【００３８】
２つの搬送ローラ３４，３５の間には第１原稿読取位置５９が設定されており、この第１原稿読取位置５９にはプラテンローラ２９が配置されている。そして、この第１原稿読取位置５９を通過する原稿は、後述の本体側スキャナユニット５０によって走査され、読み取られる。
【００３９】
次に、本体側スキャナユニット５０について説明する。この本体側スキャナユニット５０は、ＡＤＦ２５及びプラテンガラス２２の下方（前記原稿搬送経路３０の外側）に配置されている。また、この本体側スキャナユニット５０は、光源５１と、反射ミラー５２，５３，５４と、集光レンズ５５と、本体側ＣＣＤ５６と、を備えている。光源５１はＡＤＦ２５の第１原稿読取位置５９（又はプラテンガラス２２）に対して光を照射し、反射ミラー５２，５３，５４は原稿からの反射光を反射させる。そしてこの反射光を集光レンズ５５で収束させて、この収束光が本体側ＣＣＤ５６の部分で結像するように構成されている。
【００４０】
本体側スキャナユニット５０の光源５１及び反射ミラー５２等は移動可能に構成されている。前述したようにイメージスキャナ装置１０をブックスキャナとして使用する場合は、本体側スキャナユニット５０の光源５１及び反射ミラー５２等をプラテンガラス２２に沿って移動させる。これによって、プラテンガラス２２上に載置された原稿を読み取ることができるようになっている。
【００４１】
一方、イメージスキャナ装置１０をオートドキュメントフィードスキャナとして使用する場合は、光源５１及び反射ミラー５２等は、図２に示すように、前記第１原稿読取位置５９に対向する位置まで移動させて静止させておく。この状態でＡＤＦ２５を駆動することにより、原稿搬送経路３０を搬送されて第１原稿読取位置５９を通過する原稿の表側の面を、本体側スキャナユニット５０が走査して読み取ることができる。
【００４２】
本体側スキャナユニット５０において、原稿からの反射光は前述のとおり本体側ＣＣＤ５６へ導かれて結像し、本体側ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００４３】
原稿搬送経路３０において、前記第１原稿読取位置５９の下流側（搬送ローラ３５の下流側）には第２原稿読取位置６９が設定されている。この第２原稿読取位置６９を通過する原稿の裏面は、次に説明するＡＤＦ側スキャナユニット６０によって走査されて読み取られる。
【００４４】
ＡＤＦ側スキャナユニット６０について説明する。このＡＤＦ側スキャナユニット６０は、Ｕ字状に構成された前記原稿搬送経路３０に内側から接するように、当該原稿搬送経路３０の内側に設置されている。また、ＡＤＦ側スキャナユニット６０は、ＡＤＦ２５の内部に保持されるスキャナフレーム１２を備えている。このスキャナフレーム１２は、内部の光学系を構成する部品等を支持するとともに、その外側を覆って保護するように構成されている。
【００４５】
スキャナフレーム１２の底部には、原稿の裏面を読み取るための読取ガラス６８が備えられる。この読取ガラス６８は、前記第２原稿読取位置６９に対応する位置に配置される。
【００４６】
また、スキャナフレーム１２の前記第２原稿読取位置６９に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４７】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４８】
次に、ＡＤＦ側スキャナユニット６０において構成される縮小光学系について説明する。図２に示すように、ＡＤＦ側スキャナユニット６０は、光源６１と、反射ミラー６２，６３，６４，６５と、集光レンズ６７と、イメージセンサとしてのＡＤＦ側ＣＣＤ５７と、を備えている。これらの部品は、何れもスキャナフレーム１２の内部に配置されている。
【００４９】
光源６１は読取ガラス６８を臨むように配置されており、当該読取ガラス６８を介して第２原稿読取位置６９に光を照射することができる。反射ミラー６２，６３，６４，６５は、原稿からの反射光を更に複数回折り返すように反射させ、集光レンズ６７に導くように構成されている。
【００５０】
集光レンズ６７は光を収束させてＡＤＦ側ＣＣＤ５７の部分に結像させ、ＡＤＦ側ＣＣＤ５７は、本体側スキャナユニット５０における本体側ＣＣＤ５６と同様に、原稿の画像情報に応じた電気信号を出力する。この信号も適宜変換処理され、複合機２０が備える画像形成部に送信される。
【００５１】
次に、図４及び図５を参照して、給紙装置９０について詳細に説明する。図４は、給紙装置９０の構成を示す斜視図である。図５は、伝達ギア１２０の取付方法を説明する分解斜視図である。
【００５２】
図４に示すように、給紙装置９０は、一体的に成形されたブラケット８０を備えている。ブラケット８０は、側板（第１支持部）８１と、側板（第２支持部）８２と、後板８３と、接続板８４と、を備えている。側板８１，８２は、互いに向かい合うように成形されている。後板８３は、側板８１，８２の長手方向の一端部同士を接続するように成形されている。接続板８４は、側板８１，８２及び後板８３とを、図２における側板８１，８２及び後板８３のカバー１１側の端部で接続するように成形されている。
【００５３】
接続板８４には、３つの取付板（第３支持部）、即ち、第１取付板１０１、第２取付板１０２、及び第３取付板（第３支持部）１０３が形成されている。これらの取付板１０１，１０２，１０３には、それぞれ、第１取付孔１４５、第２取付孔１４６、及び、第３取付孔１４７が形成されている。また、これらの取付板は剛性が比較的低く形成されているので、その先端側の部分を、側板８１の方向又は側板８２の方向へしなるように曲げることができる。
【００５４】
また、これらの取付板１０１，１０２，１０３より側板８２側の位置において、接続板８４には原稿ガイド板４７が突出状に形成されている。この原稿ガイド板４７はリブ状に形成されており、搬送される原稿を先端面でガイドすることで、原稿がピックアップローラ３１とセパレートローラ３２との間の空間に入り込むことを防止することができる。
【００５５】
なお、上記の取付板１０１，１０２，１０３及び原稿ガイド板４７は、ブラケット８０の本体（接続板８４）に対して一体的に成形されている。これにより、部品点数を減らし、組立性に優れた構成となっている。
【００５６】
側板８１には、図５に示すように、取付孔１４１と、取付孔１４２と、第１取付溝９１と、第２取付溝９２と、第３取付溝９３と、が形成されている。一方、側板８２には、取付孔１４３と、取付孔１４４と、が形成されている。
【００５７】
図４に示すように、この取付孔１４１及び取付孔１４３には、ピックアップローラ軸４１が差し込まれるようにして回転可能に取り付けられている。このピックアップローラ軸４１の中央部には、前記ピックアップローラ３１が取り付けられている。また、ピックアップローラ軸４１の側板８１側の端部近傍には、表面に歯が形成されたピックアップローラギア４２が取り付けられている。
【００５８】
また、取付孔１４２及び取付孔１４４には、セパレートローラ軸４３が差し込まれるようにして回転可能に取り付けられている。このセパレートローラ軸４３の中央部には、前記セパレートローラ３２が取り付けられている。また、セパレートローラ軸４３の側板８１側の端部近傍には、表面に歯が形成されたセパレートローラギア４４が取り付けられている。
【００５９】
また、セパレートローラ軸４３の一方の端部には図略のギアが配置されており、このギアは、カバー１１を閉めたときに、ＡＤＦ本体１６が備えるギアと噛み合うように構成されている。そして、ＡＤＦ本体１６が備えるギアには、駆動装置からの動力が伝達されている。この構成により、駆動装置の動力がセパレートローラ軸４３に伝達され、セパレートローラ３２を駆動している。
【００６０】
また、ピックアップローラギア４２とセパレートローラギア４４との間には伝達ギア１２０が３つ配置されている。この３つの伝達ギア１２０は同形状となっており、互いに噛み合うことで、セパレートローラギア４４に伝達された動力をピックアップローラギア４２に伝達している。なお、伝達ギア１２０は奇数個（３つ）配置されているため、セパレートローラ軸４３の回転方向と、ピックアップローラ軸４１の回転方向と、は同方向になっている。
【００６１】
次に、伝達ギア１２０の形状及び取付方法について説明する。伝達ギア１２０は、図５に示すように、歯部１２１と、第１軸部１２２と、第２軸部１２３と、第１取付部１２４と、第２取付部１２５と、を備えている。
【００６２】
歯部１２１には、隣接するギアと噛み合うための歯が形成されている。この歯部１２１の軸方向一端部には、第１軸部１２２が接続されている。この第１軸部１２２は円柱状に形成されており、その先端には、第１軸部１２２よりも径の小さい第１取付部１２４が形成されている。一方、歯部１２１の軸方向側の他端部には、第２軸部１２３が同様に形成されている。そして、第２軸部１２３の先端には、第２軸部１２３よりも径の小さい第２取付部１２５が形成されている。なお、この伝達ギア１２０は、適宜の樹脂により一体的に成形されている。
【００６３】
また、中央に配置される伝達ギア１２０は、端部に配置される伝達ギア１２０と比べて、接続板８４からの距離（第２取付板１０２に支持される高さ）が若干大きくなっている。そのため、伝達ギア１２０をブラケット８０に取り付けるときは、端部に配置される伝達ギア１２０（取付板１０１，１０３に支持される伝達ギア１２０）から取付けを行う。なお、端部に配置される２つの伝達ギア１２０については、どちらから取付けを行っても良いが、以下では、ピックアップローラ３１側の端部に配置される伝達ギア１２０から取付けを行うものとする。
【００６４】
伝達ギア１２０を取り付けるときは、第１取付板１０１を予め側板８２側に曲げて弾性変形させておく。そして、伝達ギア１２０の第２取付部１２５を、第１取付板１０１の第１取付孔１４５に嵌め込む。
【００６５】
次に、第１取付板１０１を曲げた状態のまま、伝達ギア１２０の第１取付部１２４を、第１取付溝９１に沿わせるようにして当該第１取付溝９１の端部まで移動させる。第１取付溝９１の端部には、図５に示すように取付孔が貫通状に形成されており、この取付孔に第１取付部１２４を嵌め込むことで伝達ギア１２０を取り付けることができる。また、第１取付板１０１をしならせた状態で伝達ギア１２０を取り付けることで、取付スペースを確保できるので、取付性を向上させることができる。
【００６６】
なお、伝達ギア１２０の一端を支持する第１取付板１０１は剛性が比較的低いため、伝達ギア１２０の位置精度の安定性にはそれほど優れていない。一方、伝達ギア１２０の他端を支持する側板８１は、後板８３及び接続板８４と一体的に成形されているため剛性が高く、伝達ギア１２０の位置精度の安定性に優れている。
【００６７】
そして、本実施形態の伝達ギア１２０は、第１取付板１０１に取り付けられる側の第２軸部１２３が、側板８１に取り付けられる側の第１軸部１２２よりも長くなっている。言い換えれば、側板８１と第１取付板１０１との間において、歯部１２１が側板８１寄りの位置に配置されている。そのため、第１取付板１０１の剛性の低さが伝達ギア１２０の位置精度に影響をあまり与えないような構成となっている。これにより、取付性が高く、位置精度の安定性にも優れた構成で伝達ギア１２０を支持できる。なお、第２取付板１０２、第３取付板１０３に支持される伝達ギア１２０についても同様の構成となっているため、それぞれの伝達ギア１２０の位置精度を良好に確保できる。この結果、それぞれの伝達ギア１２０の噛み合いを円滑にすることができる。
【００６８】
そして、ピックアップローラ３１側の端部に配置される伝達ギア１２０を取り付けた後に、同様の方法で、セパレートローラ３２側の端部に配置される伝達ギア１２０を取り付ける。最後に、同様の方法で、中央に配置される伝達ギア１２０を取り付ける。中央側の伝達ギア１２０は他の伝達ギア１２０に跨るように取り付ける必要があるが、この順序で伝達ギア１２０を取り付けることで、伝達ギア１２０を容易に取り付けることができる。
【００６９】
以上に説明したように、本実施形態の給紙装置９０は、側板８１と、側板８２と、取付板１０１，１０２，１０３と、ピックアップローラ３１と、セパレートローラ３２と、伝達ギア１２０と、を備える。側板８２は、側板８１と向かい合うように配置される。取付板１０１，１０２，１０３は、側板８１と側板８２との間に配置される。ピックアップローラ３１は、側板８１及び側板８２によって回転可能に支持され、原稿の繰り込みを行う。セパレートローラ３２は、側板８１及び側板８２によって回転可能に支持され、ピックアップローラ３１で繰り込まれた原稿を１枚ずつ分離する。伝達ギア１２０は、取付板１０１，１０２，１０３によって回転可能に支持され、ピックアップローラ３１とセパレートローラ３２との間の動力伝達を行う。
【００７０】
即ち、従来は伝達ギア１２０を側板８１又は側板８２で支持していたため、伝達ギア１２０を側板８１又は側板８２の近傍にしか配置できなかった。この点、上記の構成によれば、取付板１０１，１０２，１０３が配置される場所の近傍に伝達ギア１２０を位置させることができるので、給紙装置９０の配置レイアウトの自由度を向上させることができる。
【００７１】
また、本実施形態の給紙装置９０においては、伝達ギア１２０は、一端が取付板１０１，１０２，１０３に支持され、他端が側板８１に支持される。
【００７２】
これにより、伝達ギア１２０を両持ち支持することができるので、伝達ギア１２０の安定性を向上させることができる。また、ピックアップローラ３１及びセパレートローラ３２を支持している側板８１で伝達ギア１２０を支持する構成であるため、給紙装置９０の構成を簡単にすることができる。
【００７３】
また、本実施形態の給紙装置９０においては、伝達ギア１２０は、歯部１２１と、第１軸部１２２と、第２軸部１２３と、を備える。歯部１２１には、歯が形成される。第１軸部１２２は、歯部１２１と接続され、側板８１に回転可能に支持される。第２軸部１２３は、歯部１２１と接続され、取付板１０１，１０２，１０３に回転可能に支持される。第１軸部１２２の軸方向の長さと、第２軸部１２３の軸方向の長さと、が異なる。
【００７４】
これにより、取付性が高く、位置精度の安定性にも優れた構成で伝達ギア１２０を支持できる。
【００７５】
また、本実施形態の給紙装置９０においては、歯部１２１と、第１軸部１２２と、第２軸部１２３と、は一体的に成形されている。
【００７６】
これにより、部品点数を削減できるとともに、伝達ギア１２０を組み立てる手間を省くことができる。従って、給紙装置９０の製造コストを低減できる。
【００７７】
また、本実施形態の給紙装置９０は、３つの伝達ギア１２０を備える。また、中央側の伝達ギア１２０が取付板１０２に支持される高さは、端部側の伝達ギア１２０が取付板１０１，１０３に支持される高さと異なっている。
【００７８】
これにより、給紙装置９０を組み立てるときに、端部に配置される伝達ギア１２０を先に取り付け、後から中央に配置される伝達ギア１２０を取り付けることで、伝達ギア１２０の取付性を向上させることができる。
【００７９】
以上に本発明の好適な実施の形態を説明したが、上記の構成は例えば以下のように変更することができる。
【００８０】
上記実施形態は伝達ギア１２０を３つ備える構成であるが、伝達ギア１２０の個数はこれに限定されず、例えば伝達ギア１２０を１つ備える構成にすることができる。
【００８１】
上記実施形態では、伝達ギア１２０は第３取付板１０３と側板８１の間に配置されているが、伝達ギア１２０を第３取付板１０３と側板８２の間に配置するように変更することもできる。
【００８２】
上記実施形態では、給紙装置９０は、カバー１１のＡＤＦ本体１６側の面に配置されているが、この構成に代えて、給紙装置９０をＡＤＦ本体１６に配置しても良い。
【００８３】
上記実施形態では、イメージスキャナ装置１０は複合機２０の一部として備えられているが、この構成に代えて、単体のイメージスキャナ装置として構成することができる。
【符号の説明】
【００８４】
１０  イメージスキャナ装置（原稿読取装置）
２５  ＡＤＦ（自動原稿搬送装置）
３１  ピックアップローラ
３２  セパレートローラ
８０  ブラケット
８１  側板（第１支持部）
８２  側板（第２支持部）
９０  給紙装置
１０１  第１取付板（第３支持部）
１０２  第２取付板（第３支持部）
１０３  第３取付板（第３支持部）
１２０  伝達ギア
【図１】
2011121697.tif 000003
【図２】
2011121697.tif 000004
【図３】
2011121697.tif 000005
【図４】
2011121697.tif 000006
【図５】
2011121697.tif 000007